(57)【特許請求の範囲】
【請求項１】
天板の両側部を脚体で支持し、両脚体の後端を前記天板の後端より後方へ突出しないように設定し、左右一対の支持アームを介して両脚体に上下回動可能に拡張天板を設け、該拡張天板が前記天板の後端に連続して該天板と上面を面一となした水平姿勢と、前記脚体の後部に略垂直で前記天板の後端より後方へ突出しない格納姿勢をとることが可能である学習机であって、水平状態において前記拡張天板の下面両側部に奥行方向と平行に固定した前記支持アームの基端側突出部に、該拡張天板の上面と平行な長孔を形成するとともに、該長孔より拡張天板側に該長孔の長手方向と直交するように上下に貫通した支持孔を形成し、前記長孔に通した支軸を前記脚体の内面側に固定して上下回動及び長孔に沿って水平移動可能とし、該拡張天板を上方に回動し前方へ水平移動させた水平姿勢の状態で、前記支持孔に通した固定ネジを天板の下面の螺孔に螺合して姿勢を保持してなることを特徴とする学習机。
【請求項２】
請求項１記載の学習机と、書棚とからなり、該書棚は前記天板と上面が同じ高さの固定棚板を備え、前記拡張天板が格納姿勢において前記天板の後端に前記書棚の固定棚板の前端を接合可能とし、前記拡張天板が水平姿勢において該拡張天板の後端に前記書棚の固定棚板の前端を接合可能としてなる学習机と書棚との組合せ家具。
【発明の詳細な説明】
【技術分野】
【０００１】
本発明は、学習机及び学習机と書棚との組合せ家具に係わり、更に詳しくは天板の奥行幅を調節可能な学習机と、該学習机と書棚とを組合せて構成する組替え可能な家具に関するものである。
【背景技術】
【０００２】
従来から、学習机と書棚を組合せた学習家具が各種提供されている。例えば、机を構成する天板の一側端部を書棚の両側板間に挿入し、書棚の棚板等と連結して使用する構造のもの、あるいは学習机の天板の後部に上棚を載置固定して棚付き学習机として使用するものが提供されている。また、それぞれ独立して使用する学習机と書棚を組合せて、学習机の後縁に書棚を密着させて設置して使用することも多い。
【０００３】
ここで、学習机の天板の後部に上棚を載置した棚付き学習机は、上棚までの距離が短いので、小学校低学年の児童でも机の前に着座したまま上棚に対して書籍等を出し入れすることが容易であるが、天板の上面が狭くなるといった構造的に回避不可能な問題を有している。一方、学習机の後縁に書棚を密着させて設置した場合には、机としての天板の広さは確保できるものの、書棚までの距離が長いので、小学校低学年の児童では書棚に対して書籍等を出し入れすることが容易ではない。尚、室内空間を広くしたいといった外的要請、使用目的や好みといった内的要請によっては、天板の奥行幅が狭い机に対する需要もあり、状況に応じて天板の奥行幅を調整できる机が望まれるところである。
【０００４】
特許文献１には、天板と、該天板の両側部を支持する天板支持体とからなる机本体の上面後部に、書棚を着脱可能に立設した書棚付き机であって、前記天板を、前記天板支持体に前後位置変更可能に取り付けるとともに、天板を前方に位置変更した際に該天板の後方に生成される空きスペースに取り付け可能な補助天板の両側端部を、前記天板支持体の後側面に着脱可能に取り付けたことを特徴とする書棚付き机が開示されている。それにより、机の奥行き寸法を拡大することができるので、机上の作業面積を増加させることができ、パソコン用の机としても利用することが可能となるのである。しかし、補助天板を付け替える作業には、天板と引出し支持部に保持された引出しを天板支持体に対して前後に付け替える作業を伴うので、手間がかかるといった問題がある。
【０００５】
また、特許文献２には、両脚板間に水平に設けた天板を所定ストロークだけ前方へ引き出し可能に形成し、該天板の後端に補助プレートを配設するとともに、該補助プレートを前記天板と同一平面を形成する水平な姿勢と両脚板間の後部下方に埋設される垂直な姿勢とに選択できるように形成し、更に前記補助プレートの前後幅を前記天板のストロークと略同じ寸法に形成した机が開示されている。しかし、机の奥行幅を拡張する場合には、脚板に対して天板を前方に引き出すので、天板の前部が脚板から突出し、重心が前がかりになって不安定である。安定性の観点からは、脚部に対して天板は固定的であることが望ましいのである。
【先行技術文献】
【特許文献】
【０００６】
【特許文献１】特許第３４４８８４２号公報
【特許文献２】実開昭６０−１９１２２５号公報
【発明の概要】
【発明が解決しようとする課題】
【０００７】
そこで、本発明が前述の状況に鑑み、解決しようとするところは、脚部に対して天板が固定的であり、重心バランスが安定しているにも係わらず、天板の実効奥行幅を簡単に拡張、縮小することができる学習机を提供するとともに、該学習机と書棚を組合せて、天板の後端に密接して書棚を配置する態様あるいは天板の後部に書棚を載置した態様を実現した場合にも、それぞれの態様で使い勝手が良い学習机と書棚との組合せ家具を提供する点にある。
【課題を解決するための手段】
【０００８】
本発明は、前述の課題解決のために、天板の両側部を脚体で支持し、両脚体の後端を前記天板の後端より後方へ突出しないように設定し、左右一対の支持アームを介して両脚体に上下回動可能に拡張天板を設け、該拡張天板が前記天板の後端に連続して該天板と上面を面一となした水平姿勢と、前記脚体の後部に略垂直で前記天板の後端より後方へ突出しない格納姿勢をとることが可能である学習机であって、水平状態において前記拡張天板の下面両側部に奥行方向と平行に固定した前記支持アームの基端側突出部に、該拡張天板の上面と平行な長孔を形成するとともに、該長孔より拡張天板側に該長孔の長手方向と直交するように上下に貫通した支持孔を形成し、前記長孔に通した支軸を前記脚体の内面側に固定して上下回動及び長孔に沿って水平移動可能とし、該拡張天板を上方に回動し前方へ水平移動させた水平姿勢の状態で、前記支持孔に通した固定ネジを天板の下面の螺孔に螺合して姿勢を保持してなることを特徴とする学習机を構成した（請求項１）。
【０００９】
そして、本発明は、前述の学習机と、書棚とからなり、該書棚は前記天板と上面が同じ高さの固定棚板を備え、前記拡張天板が格納姿勢において前記天板の後端に前記書棚の固定棚板の前端を接合可能とし、前記拡張天板が水平姿勢において該拡張天板の後端に前記書棚の固定棚板の前端を接合可能としてなる学習机と書棚との組合せ家具を構成した（請求項２）。
【発明の効果】
【００１０】
以上にしてなる請求項１に係る発明の学習机と書棚との組合せ家具は、天板の両側部を脚体で支持し、両脚体の後端を前記天板の後端より後方へ突出しないように設定し、左右一対の支持アームを介して両脚体に上下回動可能に拡張天板を設け、該拡張天板が前記天板の後端に連続して該天板と上面を面一となした水平姿勢と、前記脚体の後部に略垂直で前記天板の後端より後方へ突出しない格納姿勢をとることが可能である学習机であって、水平状態において前記拡張天板の下面両側部に奥行方向と平行に固定した前記支持アームの基端側突出部に、該拡張天板の上面と平行な長孔を形成するとともに、該長孔より拡張天板側に該長孔の長手方向と直交するように上下に貫通した支持孔を形成し、前記長孔に通した支軸を前記脚体の内面側に固定して上下回動及び長孔に沿って水平移動可能とし、該拡張天板を上方に回動し前方へ水平移動させた水平姿勢の状態で、前記支持孔に通した固定ネジを天板の下面の螺孔に螺合して姿勢を保持してなるので、天板の両側部を脚体で支持した剛構造で常に重心バランスが安定し、また拡張天板が水平姿勢の状態においては天板と拡張天板が一体となって奥行幅の広い独立使用形態の学習机とすることができ、また拡張天板が格納姿勢の状態においては天板の後端より拡張天板が後方へ突出しないので、天板の後端を壁面又は書棚の前面に密着させて配置することができ、特に書棚との組合せにおいては小学校低学年の児童でも机の前に着座したまま書棚に対して書籍等を出し入れすることが容易であり、更に拡張天板を水平姿勢に設定する際に、長孔と支軸の関係から拡張天板を前後に水平移動可能であるので、天板の後端に拡張天板の前端を密着させて接合することができ、そして水平姿勢の状態において固定ネジを支持アームの支持孔に挿通して天板下面の螺孔に螺合することにより、水平姿勢を確実に維持することができる。
【００１１】
請求項２に係る学習机と書棚との組合せ家具によれば、前述の学習机と、書棚とからなり、該書棚は前記天板と上面が同じ高さの固定棚板を備え、前記拡張天板が格納姿勢において前記天板の後端に前記書棚の固定棚板の前端を接合可能とし、前記拡張天板が水平姿勢において該拡張天板の後端に前記書棚の固定棚板の前端を接合可能としてなるので、拡張天板が水平姿勢の状態において学習机の天板の後端を書棚の前面に密着させて配置すると、該天板の後端に書棚の固定棚板が接合するので、天板と固定棚板が一体となってあたかも奥行幅の広い机となるのであり、更に小学校低学年の児童でも机の前に着座したまま書棚に対して書籍等を出し入れすることが容易である。
【図面の簡単な説明】
【００１２】
【図１】本発明に係る学習机と書棚を組合せた使用状態の斜視図である。
【図２】本発明に係る学習机の格納姿勢における縦断面図である。
【図３】同じく学習机の水平姿勢における省略平面図である。
【図４】拡張天板が格納姿勢の状態の要部縦断面図である。
【図５】拡張天板が水平姿勢の状態の要部縦断面図である。
【図６】学習机と書棚の独立使用状態を示す斜視図である。
【図７】拡張天板が水平姿勢の学習机の後部に分離した上書棚を載置し、下書棚を側設した使用状態を示す斜視図である。
【図８】拡張天板が水平姿勢の学習机の後部に分離した上部棚を載置し、下書棚と下部棚を連結した状態で独立して設置した使用状態を示す斜視図である。
【図９】本発明に係る第２実施形態の学習机の側面図である。
【図１０】同じく学習机と書棚を組合せた使用状態の側面図である。
【図１１】第３実施形態の学習机を示し、（ａ）は拡張天板が格納姿勢の状態の斜視図、（ｂ）は拡張天板が水平姿勢の状態で後側接地部材を後方へ突出させて取付けた状態の斜視図である。
【図１２】同じく本発明に係る学習机を示し、（ａ）は拡張天板が格納姿勢の状態の側面図、（ｂ）は拡張天板が水平姿勢の状態で後側接地部材を後方へ突出させて取付けた状態の側面図である。
【図１３】同じく拡張天板が格納姿勢の状態の要部縦断面図である。
【図１４】同じく拡張天板が水平姿勢の状態の要部縦断面図である。
【図１５】拡張天板が格納姿勢の状態の学習机と書棚とを組み合わせて使用する場合の説明用斜視図である。
【図１６】拡張天板が格納姿勢の状態の学習机の後部に書棚の前面を連結して併設した状態の部分縦断面図である。
【図１７】拡張天板が水平姿勢の状態の学習机の後部に書棚の前面を連結して併設した状態を示す部分縦断面図である。
【発明を実施するための形態】
【００１３】
次に、添付図面に示した実施形態に基づき、本発明を更に詳細に説明する。図１〜図５は本発明の第１実施形態に係る学習机を示し、図１、図６〜図８は学習机と書棚との組合せ家具を示し、図９及び図１０は本発明の第２実施形態に係る学習机を示し、図中Ａは学習机、Ｂは書棚、１は天板、２は脚体、３は拡張天板、４は支持アーム、５は凹部をそれぞれ示している。
【００１４】
本発明に係る学習机Ａは、天板１の両側部を脚体２，２で支持し、壁面又は書棚Ｂの前面に天板１の後端を密着させて配置する学習机であって、両脚体２の後端を前記天板１の後端より後方へ突出しないように設定するとともに、該天板１又は前記脚体２に直接又は他の部材を介して間接的に拡張天板３を設け、該拡張天板３が前記天板１の後端に連続して該天板１と上面を面一となした水平姿勢と、前記天板１の後端より後方へ突出しない格納姿勢とをとることが可能であるものである。
【００１５】
ここで、図２〜図５に示すように、前記拡張天板３を、支持アーム４，４を介して両脚体２，２に上下回動可能に設けるとともに、前記脚体２の後部に略垂直な格納姿勢の拡張天板３を収容する凹部５又は凹段部を設けている。更に詳しくは、前記拡張天板３の下面両側部に奥行方向と平行に固定した支持アーム４，４の基端側突出部６，６に、該拡張天板３の上面と平行な長孔７を形成するとともに、該長孔７より拡張天板３側に支持孔８を形成し、前記長孔７に通した支軸９を前記脚体２の内面側に固定して上下回動可能とするとともに、該拡張天板３が水平姿勢と格納姿勢の状態でそれぞれ前記支持孔８に通した固定ネジ１０を脚板２の内面の螺孔１１に螺合して姿勢を保持する。
【００１６】
更に、前記天板１の後端面１２と拡張天板３の前端面１３の何れか一方に複数の突起１４，…を形成するとともに、他方に該突起１４，…を水平姿勢において受け入れる係合孔１５，…を形成している。本実施形態では、前記拡張天板３の前端面１３に突起１４，…を形成し、前記天板１の後端面１２に係合孔１５，…を形成している。それにより、前記拡張天板３が格納姿勢の状態で、天板１の後端を壁面又は書棚Ｂの前面に密着させて接合することができる。尚、前記天板１の後端面１２に突起１４，…を形成した場合には、書棚Ｂの対応部位に逃し部又は係合部を形成することで密着させることができる。
【００１７】
次に、前記学習机Ａの各部の詳細を説明する。本実施形態の学習机Ａは木製であり、各部材も木製で作成されている。前記脚体２は、前後に配した支脚１６，１６の上下端部間を、横部材１７，１７を連結して側面視四角形のフレームを構成している。そして、前記天板１の下面には、引出し１８，…を引き出し可能に保持する支持枠１９を両側部を余して固定し、前記脚体２の上端部を該支持枠１９の側面に連結するとともに、該脚体２の上端を前記天板１の下面にピンダボ等で強固に固定している。そして、両脚体２，２の下部後端間に連結部材２０を連結し又は両脚体２，２の後端間に幕板を連結して剛性を高めている。
【００１８】
そして、前記脚体２の後側支脚１６の上端部内面に、前記支持アーム４の基端側突出部６を支軸９と長孔７とで枢支している。また、後側支脚１６の上端部には、前記拡張天板３が水平姿勢と格納姿勢をとるときに、前記支持アーム４に形成した支持孔８に対応する位置に螺孔１１，１１を、オニメナットを埋設する等して設けている。更に、後側支脚１６の上部後端部に、前記拡張天板３を収容するための凹部５を切欠形成し、該拡張天板３が略垂直な格納姿勢において、該拡張天板３が前記天板１の後端より後方へ突出しないように設定している。
【００１９】
本実施形態の学習机Ａは、天板１の両側下面に脚体２，２の上端が接合した所謂「天板勝ち」構造であり、従って前記拡張天板３の横幅を天板１の横幅と一致させる前提においては格納姿勢の拡張天板３の両側部は両脚体２，２の後端に当接するようになる。そのため、前記脚体２の後端に凹部５を設けるのである。それに対して、天板１の両側から脚体２，２の上端が露出した所謂「脚体勝ち」構造の学習机では、前記拡張天板３の横幅を天板１の横幅と一致させる前提において格納姿勢の拡張天板３を両脚体２，２の間に収容することができるので、前記凹部５のような逃しは不要である。
【００２０】
次に、前記学習机Ａと組合せて使用する書棚Ｂを図１、図６〜図８に基づいて説明する。前記書棚Ｂは、前記天板１と上面が同じ高さの固定棚板２１を備えている。それにより、図１に示すように、前記拡張天板３が格納姿勢において前記天板１の後端に前記書棚Ｂの固定棚板２１の前端を接合可能としている。
【００２１】
尚、図６に示すように、前記拡張天板３を水平姿勢とした学習机Ａと、書棚Ｂとは、それぞれ離して独立して使用することができることは勿論であるが、学習机Ａの一側部に書棚Ｂの前面を密着させて組合せて使用することもできる。ここで、前記拡張天板３を格納姿勢とした学習机Ａを、奥行幅の狭い独立した机として使用することは任意である。
【００２２】
前記書棚Ｂは、前記固定棚板２１を備えた下書棚Ｂ１と、該下書棚Ｂ１の上に分離可能に載置固定する上書棚Ｂ２とからなっている。それにより、図７に示すように、前記拡張天板３が水平姿勢において前記書棚Ｂから分離した上書棚Ｂ２を前記学習机Ａの天板１後部と拡張天板３の上面に載置固定し、机上棚を備えた学習机を構成することができる。更に、前記上書棚Ｂ２を下部棚Ｂ２１と上部棚Ｂ２２に分離可能とし、前記拡張天板３が水平姿勢において前記下部棚Ｂ２１又は上部棚Ｂ２２を前記学習机Ａの天板１後部と拡張天板３の上面に載置固定し、背の低い机上棚を備えた学習机を構成することができる。
【００２３】
ここで、前記下書棚Ｂ１と上書棚Ｂ２の連結は、前記固定棚板２１の側縁を利用して固定具２２で引き付けて行うようにしている。この固定具２２は、従来の机上棚付きの学習机に用いているものと同様な構造である。従って、図７及び図８に示すように、学習机Ａの後部に上書棚Ｂ２又は下部棚Ｂ２１又は上部棚Ｂ２２を載置した際にも同じ固定具２２を利用して連結することができる。尚、図中符号２３は照明器具であり、前記下部棚Ｂ２１の背面や拡張天板３の後端に取付けることができるようになっている。
【００２４】
次に図９及び図１０に示した第２実施形態について説明する。本実施形態では、学習机Ａの脚体２と書棚Ｂの下書棚Ｂ１の形状が異なっている。学習机Ａの脚体２は、基本的には前述の構造と同じであるが、前側支脚１６の下部が後方へ後退して傾斜し、安定性を確保するために、前後の支脚１６，１６の下端に前方へ延びて接地部材２４を固定し、更に後側の支脚１６の後端部を除き凹段部２５を形成して、格納姿勢の状態の前記拡張天板３を該凹段部２５に収容し，前記天板１の後端より突出しないように設定している。そして、前記書棚Ｂの下書棚Ｂ１を構成する両側板２６の前端部において上部より下部を前方へ突出させて、上部に逃し部２７、下部に張出部２８を設けている。下書棚Ｂ１の側板２６に張出部２８を設けることにより、書棚Ｂの立起状態が安定になるとともに、学習机Ａの後端に密接して設置した際に、該張出部２８が前記脚体２の凹段部２５に接合し、また上部の逃し部２７により格納姿勢の前記拡張天板３を収容する空間を確保するのである。
【００２５】
次に、図１１〜図１７に示した第３実施形態について説明する。本実施形態の学習机Ａは、図１１〜図１４に示すように、基本的には前述の実施形態と同様であるが、天板１の両側部を脚体２，２で支持し、両脚体２の後端を前記天板１の後端より後方へ突出しないように設定するとともに、該天板１又は前記脚体２に直接又は他の部材を介して間接的に拡張天板３を設け、該拡張天板３が前記天板１の後端に連続して該天板１と上面を面一となした水平姿勢と、前記天板１の後端より後方へ突出しない格納姿勢とをとることが可能なものである。そして、前記脚体２の下端であって前部に前側接地部材２９を取付けるとともに、後部に前後の取付位置を変更可能に後側接地部材３０を着脱可能に取付けている。ここで、前記拡張天板３を天板１の後方へ水平姿勢に配した天板拡張仕様で、前記後側接地部材３０を後方へ突出するようにずらせて付け替えることにより、安定に支持することができるようにしたことを特徴としている。
【００２６】
ここで、前記学習机Ａは、図１３及び図１４に示すように、前記拡張天板３を、支持アーム４，４を介して両脚体２，２に上下回動可能に設けるとともに、前記脚体２の後部に略垂直な格納姿勢の拡張天板３を収容する凹部５又は凹段部を設けている。更に、前記拡張天板３の下面両側部に奥行方向と平行に固定した支持アーム４，４の基端側突出部６，８に、該拡張天板３の上面と平行な長孔７を形成するとともに、該長孔７より拡張天板３側に上下に貫通した支持孔３１を形成するとともに、拡張天板３の下方位置の支持アーム４に左右に貫通した支持孔３２を形成し、前記長孔７に通した支軸９を前記脚体２の内面側に固定して上下回動可能とするとともに、該拡張天板３が水平姿勢の状態で前記支持孔３１に通した固定ネジ１０を天板１の下面の螺孔３３に螺合し、また拡張天板３が格納姿勢の状態で前記支持孔３２に通した固定ネジ１０を脚板２の内面の螺孔３４に螺合して姿勢を保持する。
【００２７】
更に、前記拡張天板３の両側部で下面から前方へ突片３５，３５を突設するとともに、前記天板１の両側部で下面後端縁に前記突片３５を嵌入する受け金具３６，３６を取付け、前記拡張天板３を水平姿勢にしたときに、前記突片３５，３５を受け金具３６，３６に嵌入することにより、該拡張天板３の上下方向の撓み変形を防止している。
【００２８】
次に、第３実施形態の前記学習机Ａの各部の詳細を説明する。本実施形態の学習机Ａは木製であり、各部材も木製で作成されている。前記脚体２は、前後に配した支脚１６，１６の上下端部間を、横部材１７，１７を連結して側面視略四角形のフレームを構成している。そして、前記天板１の下面には、引出し１８，…を引き出し可能に保持する支持枠１９を両側部を余して固定し、前記脚体２の上端部を該支持枠１９の側面に連結するとともに、該脚体２の上端を前記天板１の下面にピンダボ等で強固に固定している。そして、両脚体２，２の下部後端間に連結部材２０を連結して剛性を高めている。
【００２９】
ここで、前記連結部材２０は、図１２に示すように、長尺の垂直板２０Ａと水平板２０Ｂの２枚の板材を組み合わせて構成している。材料の板材は、コスト低減のため比較的薄いものを用いているため、強度を高めるため垂直板２０Ａの上下幅を十分に広く設定している。そして、前記垂直板２０Ａの後面で上下中間部に前記水平板２０Ｂを接合して、断面略ト字形に構成している。そして、前記水平板２０Ｂの上面の高さは、図１６に示すように、下書棚Ｂ１の最下段の底板３７の上面の高さと略一致させている。通常、前記垂直板２０Ａの強度を高めるために上下幅を広くすると、該垂直板２０Ａの上端は前記底板３７の上面よりも高くなる。そして、前記垂直板２０Ａが後方寄りに位置していると、学習机Ａの後端を書棚Ｂの前面に密接状態で併設すると、前記底板３７に載置した書籍等の出し入れが極めて困難になる。そのため、前記垂直板２０Ａを両後側支脚１６，１６の前後中央部又は前寄り位置に設定して、前記底板３７の前縁との間に十分な空間を確保したのである。更に、前記垂直板２０Ａの後面に前記水平板２０Ｂを接合し、その上面を前記底板３７の上面と略面一に設定したので、前記底板３７の実効奥行幅を前方に拡張され、収納スペースの増大、若しくは底板３７に収納した書籍等の物品の出し入れを容易にしたのである。
【００３０】
更に、図１１及び図１２に示すように、前記後側接地部材３０を前記脚体２に対して前方に取付けた際には、該後側接地部材３０の後端が前記脚体２の後端より後方へ突出しない通常脚態様と、前記後側接地部材３０を前記脚体２に対して後方に取付けた際には、該後側接地部材３０の後端が前記脚体２の後端より後方へ突出した拡張脚態様とをとることが可能となっている。
【００３１】
具体的には、前記前側接地部材２９と後側接地部材３０は断面が四角形の略同一の杆体であり、前記後側接地部材３０を前記脚体２に対して前方に取付けた際には前側接地部材２９と連続し、前記前側接地部材２９の前端部下面と前記後側接地部材３０の後端部下面に、それぞれ形成した凹部３８にアジャスター３９を設けて床面の不陸を吸収するようにしている。
【００３２】
次に、第３実施形態の前記学習机Ａと書棚Ｂを組み合わせて使用する場合を図１５〜図１７に基づいて説明する。前記書棚Ｂは、前記天板１と上面が同じ高さの固定棚板２１と下端部に前記底板３７を備えた下書棚Ｂ１と、該下書棚Ｂ１の上に分離可能に載置固定する上書棚Ｂ２とからなっている。それにより、図１５及び図１６に示すように、前記拡張天板３が格納姿勢において前記天板１の後端に前記書棚Ｂの固定棚板２１の前端を接合可能としている。そして、前記天板１の後端と固定棚板２１の前端とを接合した状態で、連結金具４０で互に前後左右に変位不能に連結している。
【００３３】
また、図１７に示すように、前記拡張天板３が水平姿勢において、該拡張天板３の後端部と前記書棚Ｂの固定棚板２１の前端部を面一に接合することが可能であるが、この際にも拡張天板３と固定棚板２１とを連結金具４０で互に連結している。
【符号の説明】
【００３４】
Ａ  学習机、          Ｂ  書棚、
Ｂ１  下書棚、        Ｂ２  上書棚、
Ｂ２１  下部棚、      Ｂ２２  上部棚、
１  天板、            ２  脚体、
３  拡張天板、        ４  支持アーム、
５  凹部、            ６  突出部、
７  長孔、            ８  支持孔、
９  支軸、            １０  固定ネジ、
１１  螺孔、          １２  後端面、
１３  前端面、        １４  突起、
１５  係合孔、        １６  支脚、
１７  横部材、        １８  引出し、
１９  支持枠、        ２０  連結部材、
２０Ａ  垂直板、      ２０Ｂ  水平板、
２１  固定棚板、      ２２  固定具、
２４  接地部材、      ２５  凹段部、
２６  側板、          ２７  逃し部、
２８  張出部、        ２９  前側接地部材、
３０  後側接地部材、  ３１  支持孔、
３２  支持孔、        ３３  螺孔、
３４  螺孔、          ３５  突片、
３６  受け金具、      ３７  底板、
３８  凹部、          ３９  アジャスター、
４０  連結金具。
【図１】
0005641104.tif 000002
【図２】
0005641104.tif 000003
【図３】
0005641104.tif 000004
【図４】
0005641104.tif 000005
【図５】
0005641104.tif 000006
【図６】
0005641104.tif 000007
【図７】
0005641104.tif 000008
【図８】
0005641104.tif 000009
【図９】
0005641104.tif 000010
【図１０】
0005641104.tif 000011
【図１１】
0005641104.tif 000012
【図１２】
0005641104.tif 000013
【図１３】
0005641104.tif 000014
【図１４】
0005641104.tif 000015
【図１５】
0005641104.tif 000016
【図１６】
0005641104.tif 000017
【図１７】
0005641104.tif 000018